(57)【要約】【課題】あるユーザーが承認したという行為を、複数のユーザーの指紋認証が取れれば、権限を代行して承認可能とすることができるようにした指紋認証装置を得る。【解決手段】承認権限を持つマネージャーと、その代行入力を行う複数のユーザーとによる指紋認証において、承認権限を持つマネージャーが不在の場合に複数のユーザーの指紋認証を確認する指紋認証手段を備え、この指紋認証手段により複数のユーザーの指紋認証が取れた時に権限を代行してマネージャー承認を行えるようにする。【選択図】      図２
2005031744.tif 000002
【特許請求の範囲】
【請求項１】
承認権限を持つマネージャーと、その代行入力を行う複数のユーザーとによる指紋認証装置において、承認権限を持つマネージャーが不在の場合に複数のユーザーの指紋認証を確認する指紋認証手段を備え、この指紋認証手段により複数のユーザーの指紋認証が取れた時に権限を代行してマネージャー承認を行えるようにしたことを特徴とする指紋認証装置。
【請求項２】
承認権限を持つマネージャーと、その代行入力を行うユーザーグループと、その他の作業を行うユーザーグループとによる指紋認証装置において、承認権限を持つマネージャーが不在の場合に複数のユーザーの指紋認証を確認する指紋認証確認手段を備え、この指紋認証手段によりユーザーグループ以外のユーザーを含む複数のユーザーの指紋認証が取れた時に権限を代行してマネージャー承認を行えるようにしたことを特徴とする指紋認証装置。
【発明の詳細な説明】
【０００１】
【発明の属する技術分野】
この発明は、承認権限を持つマネージャーが不在の場合であっても、複数のユーザーの指紋承認が取れれば代理承認を可能とした指紋認証装置に関するものである。
【０００２】
【従来の技術】
従来の指紋認証装置では、診療情報（診療内容）を代行入力者が代行入力することはできるが、それを実際に承認するためには、承認権限を持つユーザーである医師でないと行うことができない。また、例えば薬局の端末装置から入力される情報については承認権限を持つ薬局の長でないと行うことができない（例えば、特許文献１参照）。
【０００３】
【特許文献１】
特開２００１−２３６３２３号公報
【０００４】
【発明が解決しようとする課題】
従来の指紋認証装置では、承認権限を持つユーザーである医師又は薬局の長が不在の場合は、代理承認ができないという課題があった。
【０００５】
この発明は、上述のような課題を解決するためになされたもので、第一の目的は、あるユーザーが承認したという行為を、複数のユーザーの指紋認証が取れれば、権限を代行して承認可能とすることができるようにした指紋認証装置を提供するものである。
【０００６】
また、第二の目的は、ユーザーグループ以外のユーザーを含む複数のユーザーの指紋認証が取れれば、権限を代行して承認可能とすることができるようにした指紋認証装置を提供するものである。
【０００７】
【課題を解決するための手段】
この発明に係る指紋認証装置は、承認権限を持つマネージャーと、その代行入力を行う複数のユーザーとによる指紋認証において、承認権限を持つマネージャーが不在の場合に複数のユーザーの指紋認証を確認する指紋認証手段を備え、この指紋認証手段により複数のユーザーの指紋認証が取れた時に権限を代行してマネージャー承認を行えるようにしたものである。
【０００８】
また、承認権限を持つマネージャーと、その代行入力を行うユーザーグループと、その他の作業を行うユーザーグループとによる指紋認証において、承認権限を持つマネージャーが不在の場合に複数のユーザーの指紋認証を確認する指紋認証確認手段を備え、この指紋認証手段によりユーザーグループ以外のユーザーを含む複数のユーザーの指紋認証が取れた時に権限を代行してマネージャー承認を行えるようにしたものである。
【０００９】
【発明の実施の形態】
実施の形態１．
図１はこの発明の実施の形態１における指紋認証装置のシステム構成図、図２はこの発明の実施の形態１における指紋認証装置の動作を説明するためのフローチャートである。ここで、対象としている指紋認証装置は、承認権限を持つマネージャーと、その代行入力を行う複数のユーザーによる指紋認証装置である。図１において、承認権限を持つマネージャーの端末装置１、マネージャーの代行入力を行うユーザーの端末装置２〜５、及びサーバ６がＬＡＮにそれぞれ接続されている。サーバ６は各種情報記録ファイル７と、承認権限のあるマネージャー及びその代行入力を行う複数のユーザーの指紋認証データを記録した指紋認証記録ファイル８と、マネージャーを含むユーザー情報記録ファイル９等を備えている。
【００１０】
この発明の実施の形態１における指紋認証装置の操作の流れを図２により説明する。まずマネージャー承認開始ということで、ステップＳ１でＩＤを入力する。次に、ステップＳ２で入力されたＩＤがマネージャーのＩＤかどうかを判定する。マネージャーのＩＤであれば、ステップＳ３で指紋データの読み取りを行い、ステップＳ４で指紋認証を行い、認証ＯＫであればステップＳ５で通常のマネージャー承認ＯＫとなる。ステップＳ４で指紋認証がＮＧであればエラーとなる。一方、ステップＳ２で入力されたＩＤがマネージャーのＩＤでない場合には、ステップＳ６で入力されたＩＤをユーザーＡとして記憶する。そして、ステップＳ７で指紋データの読み取りを行い、ステップＳ８でユーザーＡの指紋認証を行い、ＮＧであればエラーとなるが、ＯＫであればステップＳ９で次のＩＤ入力を行う。ここで入力されたＩＤをユーザーＢとすると、ステップＳ１０でユーザーＡとユーザーＢが同一かどうか判定する。同一の場合はエラーとなるが、別のＩＤであればステップＳ１１で指紋データの読み取りを行い、ステップＳ１２でユーザーＢの指紋認証を行う。この指紋認証がＮＧであればエラーとなるが、ＯＫであればステップＳ１３で権限を代行してマネージャー承認ＯＫとなる。
この実施の形態１によれば、承認権限を持つマネージャーが不在の場合でも、複数のユーザーの指紋認証を確認する指紋認証手段を備えているので、この指紋認証手段により複数のユーザーの指紋認証が取れれば、権限を代行してマネージャー承認を行うことができる指紋認証装置を構築することが可能となる。
【００１１】
実施の形態２
この実施の形態２で対象としている指紋認証装置は、承認権限を持つマネージャーと、その代行入力を行うユーザーグループＸ及びその他の作業を行うユーザーグループＹがあるような指紋認証装置である。図１において、承認権限を持つマネージャーの端末装置１、マネージャーの代行入力を行うユーザーグループＸの端末装置２、３、その他の作業を行うユーザーグループＹの端末装置４、５、及びサーバ６がＬＡＮにそれぞれ接続されているものとする。
この発明の実施の形態２における指紋認証装置の操作の流れを図３により説明する。まずマネージャー承認開始ということで、ステップＳ１でＩＤを入力する。次に、ステップＳ２で入力されたＩＤがマネージャーのＩＤかどうかを判定する。マネージャーのＩＤであれば、ステップＳ３で指紋データの読み取りを行い、ステップＳ４で指紋認証を行い、認証ＯＫであればステップＳ５で通常のマネージャー承認ＯＫとなる。ステップＳ４で指紋認証がＮＧであればエラーとなる。一方、ステップＳ２で入力されたＩＤがマネージャーのＩＤでない場合には、ステップＳ１４で入力されたＩＤ、ユーザーＡとユーザーＡの属するグループをユーザーグループＸとして記憶する。そして、ステップＳ１５で指紋データの読み取りを行い、ステップＳ１６でユーザーＡの指紋認証を行い、ＮＧであればエラーとなるが、ＯＫであればステップＳ１７で次のＩＤ入力を行う。ここで入力されたＩＤをユーザーＢ、ユーザーＢの属するグループをユーザーグループＹとすると、ステップＳ１８でユーザーＡとユーザーＢ、ユーザーグループＸとユーザーグループＹが同一かどうか判定する。同一の場合はエラーとなるが、別のユーザーグループであればステップＳ１９で指紋データの読み取りを行い、ステップＳ２０でユーザーＢの指紋認証を行う。この指紋認証がＮＧであればエラーとなるが、ＯＫであればステップＳ２１で権限を代行してマネージャー承認ＯＫとなる。
この実施の形態２によれば、承認権限を持つマネージャーが不在の場合でも、複数のユーザーの指紋認証を確認する指紋認証手段を備えているので、この指紋確認手段によりユーザーグループ以外のユーザーを含む複数のユーザーの指紋認証が取れれば、権限を代行してマネージャー承認を行うことができる指紋認証装置を構築することが可能となる。
【００１２】
【発明の効果】
この発明は以上説明したように、承認権限を持つマネージャーと、その代行入力を行う複数のユーザーとによる指紋認証において、承認権限を持つマネージャーが不在の場合に複数のユーザーの指紋認証を確認する指紋認証手段を備え、この指紋認証手段により複数のユーザーの指紋認証が取れた時に権限を代行してマネージャー承認を行えるようにしたので、承認権限を持つマネージャーが不在の場合でも、複数のユーザーの指紋認証が取れれば、権限を代行して承認可能とすることができる。
【００１３】
また、承認権限を持つマネージャーと、その代行入力を行うユーザーグループと、その他の作業を行うユーザーグループとによる指紋認証において、承認権限を持つマネージャーが不在の場合に複数のユーザーの指紋認証を確認する指紋認証確認手段を備え、この指紋認証手段によりユーザーグループ以外のユーザーを含む複数のユーザーの指紋認証が取れた時に権限を代行してマネージャー承認を行えるようにしたので、承認権限を持つマネージャーが不在の場合でも、ユーザーグループ以外のユーザーを含む複数のユーザーの指紋認証が取れれば、権限を代行して承認可能とすることができる。
【図面の簡単な説明】
【図１】この発明の実施の形態１における指紋認証システムの構成図である。
【図２】この発明の実施の形態１における指紋認証システムの動作を説明するためのフローチャートである。
【図３】この発明の実施の形態２における指紋認証システムの動作を説明するためのフローチャートである。
【符号の説明】
１  マネージャー端末装置
２〜５  ユーザー端末装置
６  サーバ
７  各種情報記録ファイル
８  指紋認証データ記録ファイル
９  ユーザー情報記録ファイル
【図１】
2005031744.tif 000003
【図２】
2005031744.tif 000004
【図３】
2005031744.tif 000005